(57)【特許請求の範囲】
【請求項１】
長板状の中空の蒸発室、および平板状の中空の凝縮室を含み、
前記蒸発室と前記凝縮室は互いに連通され、且つ、前記蒸発室と前記凝縮室は、いずれも真空室とされると共に冷却液が充填されて、前記蒸発室と前記凝縮室の内壁には、いずれもキャピラリーウィック層が設けられており、
前記蒸発室が長方形であり、前記凝縮室が直角台形であり、
前記凝縮室は、前記蒸発室が連通される一方の辺よりも、該辺に対向する他方の辺が短く形成されているとともに、直角台形の斜辺は、前記一方の辺と前記他方の辺の間に配置されており、
前記凝縮室のハウジングの端部に前記凝縮室と連通する真空吸引孔が設けられ、該真空吸引孔は、直角台形である前記凝縮室の斜辺の外面に位置することを特徴とする平面ベイパーチャンバ。
【請求項２】
前記キャピラリーウィック層は、厚みが０．１ｍｍ〜１００ｍｍであり、空隙率が５０％であることを特徴とする請求項１に記載の平面ベイパーチャンバ。
【請求項３】
請求項１〜２のいずれかに記載の平面ベイパーチャンバを製造する製造方法であって、
プレス成形された二つの無酸素銅板体または無酸素アルミ板体の内側の表面を覆うようにそれぞれ銅粉末またはアルミ粉末が押圧され、あるいは、銅金網またはアルミ金網が押圧される状態で焼成により前記キャピラリーウィック層が形成されるステップと、
前記二つの板体が、特定雰囲気の環境において、加圧溶接または金属半田溶接されて、前記二つの板体の間に互いに連通する前記凝縮室および前記蒸発室とを形成し、且つ前記板体に前記真空吸引孔を設けるステップと、
特定雰囲気の環境において、前記真空吸引孔に銅管またはアルミ管が挿入され、溶接して還元脱酸素されることにより、排気注液口が形成されるステップと、
前記排気注液口から前記凝縮室および前記蒸発室に冷却液が注入されると共に、真空引きされた後、押し潰されてカシメられて、溶接シールされることで、平面ベイパーチャンバが得られるステップと、
を含むことを特徴とする平面ベイパーチャンバの製造方法。
【請求項４】
前記キャピラリーウィック層の焼成プロセスにおいて、前記銅粉末と前記銅金網の焼成温度を８００℃〜１０５０℃とし、焼成時間を１ｈ〜６ｈとすることを特徴とする請求項３に記載の平面ベイパーチャンバの製造方法。
【請求項５】
前記キャピラリーウィック層の焼成プロセスにおいて、前記銅金網と前記アルミ金網の焼成温度を４００℃〜５５０℃とし、焼成時間を１ｈ〜６ｈとすることを特徴とする請求項３に記載の平面ベイパーチャンバの製造方法。
【請求項６】
前記銅粉末または前記アルミ粉末は、直径が１０μｍ〜１０００μｍであり、前記被覆の厚みが０.１ｍｍ〜１００ｍｍであることを特徴とする請求項３に記載の平面ベイパーチャンバの製造方法。
【請求項７】
ＬＥＤ光源、電球金属カバー、放熱ユニット、および請求項１〜２のいずれかに記載される平面ベイパーチャンバを含み、
前記ＬＥＤ光源は、前記蒸発室の外面に貼設され、
前記電球金属カバーは、前記ＬＥＤ光源および前記平面ベイパーチャンバの外側に外嵌され、
前記放熱ユニットは、前記電球金属カバーと接続され、前記凝縮室に対して冷却することを特徴とする車両ヘッドライト。
【請求項８】
前記ＬＥＤ光源および前記放熱ユニットを電気的に接続する分電盤をさらに有することを特徴とする請求項７に記載の車両ヘッドライト。
【請求項９】
前記ＬＥＤ光源は、二つのグループに分けられ、それぞれ前記蒸発室の上下の二つの表面に貼設され、且つ、前記ＬＥＤ光源と前記蒸発室の厚みの合計が３ｍｍを超えないことを特徴とする請求項７に記載の車両ヘッドライト。
【請求項１０】
前記放熱ユニットは、ベースハウジング、ファン、フィン付き放熱器を含み、
前記ベースハウジングは、一端が前記電球金属カバーと接続され、他端には気体入口が設けられ、側壁面には気体出口が設置されており、かつ、電気コネクタが設けられており、
前記ベースハウジングが前記ファンおよび前記フィン付き放熱器を包むように構成されていることを特徴とする請求項７〜９のいずれかに記載の車両ヘッドライト。
【請求項１１】
前記フィン付き放熱器は、先端が前記凝縮室の外面に貼設され、前記凝縮室を冷却し、
前記ファンは、前記フィン付き放熱器の後端に設置されるとともに、前記気体入口に配置され、前記フィン付き放熱器の冷却を加速することを特徴する請求項１０に記載の車両ヘッドライト。
【請求項１２】
前記気体出口には、気体ガイドが設置されることを特徴とする請求項１０に記載の車両ヘッドライト。
【請求項１３】
前記平面ベイパーチャンバ、前記ＬＥＤ光源、前記電球金属カバー、および前記フィン付き放熱器の間は、鉛フリーの錫銀銅ペーストで高温溶接により接続されることを特徴とする、請求項１０に記載の車両ヘッドライト。
【発明の詳細な説明】
【技術分野】
【０００１】
本発明は車両ライト分野に関する。特に平面ベイパーチャンバ、その製造方法、および車両ヘッドライトに関する。
【背景技術】
【０００２】
ベイパーチャンバ（Ｖａｐｏｒ  Ｃｈａｍｂｅｒ）は、高い熱伝導性、高い熱伝導率、軽量で簡単な構造、多目的な特性、および、電力を消耗しないように多量の熱が伝えられる、などのメリットを有する。このため、ベイパーチャンバは電子部品の熱伝導に広く適用され、発熱部品（例えば、電子部品、ＬＥＤチップ等）の熱を速やかに伝熱して発熱部品の蓄熱現象を効果的に解決する。
【０００３】
しかしながら、従来のベイパーチャンバは、その利用空間に制限があり、放熱部分の面積が小さい。このため、放熱部品の寸法と、放熱方式と、取り付けの影響により、放熱効率が低くなる場合がある。
【発明の概要】
【発明が解決しようとする課題】
【０００４】
本発明は、放熱面積が小さく、空間を効率的に利用できないという課題を解決する平面ベイパーチャンバ、その製造方法、および車両のヘッドライトを提供することを目的とする。
【課題を解決するための手段】
【０００５】
本発明は、長板状の中空の蒸発室、および平板状の中空の凝縮室を含み、前記蒸発室と前記凝縮室は互いに連通され、且つ、前記蒸発室と前記凝縮室は、いずれも真空室とされると共に冷却液が充填されて、前記蒸発室と前記凝縮室の内壁には、いずれもキャピラリーウィック層が設けられる平面ベイパーチャンバを提供する。
【０００６】
さらに、前記凝縮室のハウジングの端部に前記凝縮室と連通する真空吸引孔が設けられ、前記蒸発室が長方形であり、前記凝縮室が直角台形であり、前記真空吸引孔は、直角台形である前記凝縮室の斜辺の外面に位置する。
【０００７】
さらに、前記蒸発室のハウジングの端部に前記蒸発室と連通する真空吸引孔が設けられ、前記蒸発室が長方形であり、前記凝縮室が直角台形であり、前記真空吸引孔は、長方形である前記蒸発室の長手方向の自由端に位置する。
【０００８】
さらに、前記キャピラリーウィック層は、厚みが０．１ｍｍ〜１００ｍｍであり、空隙率が５０％である。
【０００９】
本発明は、さらに、プレス成形された二つの無酸素銅板体または無酸素アルミ板体の内側の表面を覆うようにそれぞれ銅粉末またはアルミ粉末が押圧され、あるいは、銅金網またはアルミ金網が押圧される状態で焼成により前記キャピラリーウィック層が形成されるステップと、
前記二つの板体が、特定雰囲気の環境において、加圧溶接または金属半田溶接されて、前記二つの板体の間に互いに連通する前記凝縮室および前記蒸発室とを形成し、且つ前記板体に前記真空吸引孔を設けるステップと、
特定雰囲気の環境において、前記真空吸引孔に銅管またはアルミ管が挿入され、溶接して還元脱酸素されることにより、排気注液口が形成されるステップと、
前記排気注液口から前記凝縮室および前記蒸発室に冷却液が注入されると共に、真空引きされた後、押し潰されてカシメられて、溶接シールされることで、平面ベイパーチャンバが得られるステップと、
を含む平面ベイパーチャンバの製造方法を提供する。
【００１０】
前記キャピラリーウィック層の焼成プロセスにおいて、前記銅粉末と前記銅金網の焼成温度を８００℃〜１０５０℃とし、焼成時間を１ｈ〜６ｈとすることが好ましい。
【００１１】
前記キャピラリーウィック層の焼成プロセスにおいて、前記銅金網と前記アルミ金網の焼成温度を４００℃〜５５０℃とし、焼成時間を１ｈ〜６ｈとすることが好ましい。
【００１２】
前記銅粉末または前記アルミ粉末は、直径が１０μｍ〜１０００μｍであり、前記被覆の厚みが０.１ｍｍ〜１００ｍｍであることが好ましい。
【００１３】
本発明は、さらに、ＬＥＤ光源、電球金属カバー、放熱ユニット、および請求項１〜４のいずれかに記載される平面ベイパーチャンバを含み、
前記ＬＥＤ光源は、前記蒸発室の外面に貼設され、
前記電球金属カバーは、前記ＬＥＤ光源および前記平面ベイパーチャンバの外側に外嵌され、
前記放熱ユニットは、前記電球金属カバーと接続され、前記凝縮室に対して冷却する車両ヘッドライトを提供する。
【００１４】
さらに、前記ＬＥＤ光源および前記放熱ユニットを電気的に接続する分電盤をさらに有する。
【００１５】
さらに、前記ＬＥＤ光源は、二つのグループに分けられ、それぞれ前記蒸発室の上下の二つの表面に貼設され、且つ、前記ＬＥＤ光源と前記蒸発室の厚みの合計が３ｍｍを超えない。
【００１６】
さらに、前記放熱ユニットは、ベースハウジング、ファン、フィン付き放熱器を含み、前記ベースハウジングは、一端が前記電球金属カバーと接続され、他端には気体入口が設けられ、側壁面には気体出口が設置されており、かつ、電気コネクタが設けられており、前記ベースハウジングが前記ファンおよび前記フィン付き放熱器を包むように構成されている。
【００１７】
さらに、前記フィン付き放熱器は、先端が前記凝縮室の外面に貼設され、前記凝縮室を冷却し、前記ファンは、前記フィン付き放熱器の後端に設置されるとともに、前記気体入口に配置され、前記フィン付き放熱器の冷却を加速する。
【００１８】
さらに、前記気体出口には、気体ガイドが設置される。
【００１９】
さらに、前記平面ベイパーチャンバ、前記ＬＥＤ光源、前記電球金属カバー、および前記フィン付き放熱器の間は、鉛フリーの錫銀銅ペーストで高温溶接により接続される。
【００２０】
先行技術と比べると、本発明の有利な効果は以下の通りである。   
【００２１】
本発明によれば、取付面積と放熱面積が拡大され、空間をより効率的に利用することが可能になり、冷却液の循環流路が短縮され、接触面積が拡大されて、放熱効率が向上され、放熱効果がよりよくなる。
【図面の簡単な説明】
【００２２】
本発明の具体的な実施形態を詳しく説明する。以下に、説明に必要な図面を簡単に紹介する。以下の図面は、本発明の一部の実施形態である。当業者にとって進歩性を付さないことを前提に、これらの図面に記載された実施形態に基づいて他の実施形態を獲得可能であることは自明である。
【図１】図１は本発明の実施例により提供される平面ベイパーチャンバの断面図である。
【図２】図２は図１におけるＡ箇所の部分拡大模式図である。
【図３】図３は本発明の実施例により提供される平面ベイパーチャンバの第二種の変形構成の模式図である。
【図４】図４は本発明の実施例により提供される平面ベイパーチャンバの第三種の変形構成の模式図である。
【図５】図５は本発明の実施例により提供される車両ヘッドライトの装配図である。
【図６】図６は図５における車両ヘッドライトの分解図である。
【図７】図７は本発明の実施例により提供される車両ヘッドライトの第二種の変形構成の分解図である。
【図８】図８は本発明の実施例により提供される車両ヘッドライトの第三種の変形構成の模式図である。
【図９】図９は本発明の実施例により提供される車両ヘッドライトの第四種の変形構成の模式図である。
【図１０】図１０は本発明の実施例により提供される車両ヘッドライトの第五種の変形構成の模式図である。
【図１１】図１１は本発明の実施例により提供される車両ヘッドライトの第六種の変形構成の模式図である。
【図１２】図１２は本発明の実施例により提供される車両ヘッドライトの第七種の変形構成の模式図である。
【図１３】図１３は本発明の実施例により提供される車両ヘッドライトの第八種の変形構成の模式図である。
【図１４】図１４は本発明の実施例により提供される車両ヘッドライトの第九種の変形構成の模式図である。
【図１５】図１５は本発明の実施例により提供される車両ヘッドライトの第十種の変形構成の模式図である。
【図１６】図１６は本発明の実施例により提供される車両ヘッドライトの第十一種の変形構成の模式図である。
【図１７】図１７は本発明の実施例により提供される車両ヘッドライトの第十二種の変形構成の模式図である。
【図１８】図１８は本発明の実施例により提供される車両ヘッドライトの第十三種の変形構成の模式図である。
【発明を実施するための形態】
【００２３】
以下、図面を結合して本発明の技術方案を明瞭に、完備に説明する。記載された実施例は、本発明の実施例の一例であって、全ての実施例ではないことは明らかである。当業者が本発明の実施例に基づいて、進歩性を付さないことを前提に得る全てのその他の実施例が、本発明の保護範囲に属する。本発明の記載において、用語「中心」、「上」、「下」、「左」、「右」、「垂直」、「水平」、「内」、「外」など指示している方位又は位置関係は、図面に基づいて示す方位又は位置関係である。これらの用語は、本発明と簡略化した記載を便利に記述するためだけに用いられている。これらの用語は、装置又は素子が特定の方位を有し、特定の方位で構成され、特定の方位に操作されなければならないと指示又は暗示するものではないため、本発明の限定に用いることはできない。また、用語の「第一」、「第二」、「第三」は、説明の便宜のために用いられており、相対的な重要性を指示又は暗示するものではない。
【００２４】
本発明の記載には、別に明確的な規定と限定があった以外に、用語「取付」、「連接」、「接続」は、広義に理解すべきである。例えば、固着でもよく、取外可能に接続してもよく、又は一体的に接続されてもよい。また、機械的に接続してもよく、電気的に接続してもよい。また、直接的に接続してもよく、中間部材を介して間接的に接続してもよく、二つの素子内部を連通してもよい。当業者にとって、具体的な情況によって上述用語の本発明における具体的な意味を理解できる。
【００２５】
図１〜図４に示すように、本発明の実施例は、長板状の中空の蒸発室３０３および平板状の中空の凝縮室３０４を含む平面ベイパーチャンバ１を提供する。蒸発室３０３および凝縮室３０４は、互いに連通し、且つ、いずれも真空室とされている。蒸発室３０３内および凝縮室３０４内には、冷却液が充填されている。蒸発室３０３の内壁と凝縮室３０４の内壁にはキャピラリーウィック層３０５が設けられている。蒸発室３０３は、凝縮室３０４の表面に垂直に固定され、「Ｔ」型の平面構成とされている。
【００２６】
具体的には、平面ベイパーチャンバ１は、蒸発端３０１および蒸発端３０１に対応する凝縮端３０２を有し、蒸発端３０１と凝縮端３０２が並設される。蒸発端３０１の中空室が蒸発室３０３を構成し、凝縮端３０２の中空室が凝縮室３０４を構成する。
【００２７】
好ましい実施例では、キャピラリーウィック層３０５は、厚みが０.１ｍｍ〜１００ｍｍであり、空隙率は５０％である。冷却液の気液循環プロセスを保証し、熱伝導効率を加速するために、蒸発室３０３と凝縮室３０４は、適当な厚みを持つ必要がある。
【００２８】
好ましい実施例では、冷却液として水を用いる。もちろん、冷却液として他の気液両相相変化機能を有する物質、例えば、アルコール、アセトンなどを採用することができる。また、熱源の発熱温度および相変化材料の相変化温度によって冷却液を選択することができる。
【００２９】
好ましい実施例では、蒸発室３０３および凝縮室３０４は、純銅又はアルミを採用して製造され、キャピラリーウィック層３０５は、銅又はアルミを採用して製造される。   
【００３０】
図１に示すように、好ましい実施例では、蒸発室３０３のハウジングの端部に蒸発室３０３と連通する真空吸引孔１３が設けられる。蒸発室３０３は長方形であり、凝縮室３０４は直角台形である。真空吸引孔１３は、蒸発室３０３の長手方向の自由端に位置する。
【００３１】
図３および図４に示すように、好ましい実施例では、凝縮室３０４のハウジングの端部に凝縮室３０４と連通する真空吸引孔１３が設けられる。蒸発室３０３は長方形であり、凝縮室３０４は直角台形であり、真空吸引孔１３は、凝縮室３０４の斜辺の外面に位置する。このように設計することにより、真空吸引孔１３が利用する空間を小さくすることによって、真空吸引孔１３を使用した後、真空吸引孔１３に対してシール処理することに便利であるとともに、凝縮室３０４と蒸発室３０３の形状設計が気化した冷却液の流度を加速することに有利で、製品の放熱効率を向上することになる。
【００３２】
図１に示すように、この実施例では、平面ベイパーチャンバ１内には、相変化放熱方式および毛細構成輸送の原理が採用される。冷却液がキャピラリーウィック層３０５に吸収されており、蒸発端３０１が熱量を吸収する時に、蒸発端３０１でのキャピラリーウィック層３０５における冷却液を吸熱気化させ、気相冷却液１０９がキャピラリーウィック層３０５から溢れる。気相冷却液１０９は、蒸発室３０３に沿って凝縮室３０４の方向に流れ、凝縮室３０４で放熱して凝縮液化され、液相冷却液１１０になる。液相冷却液１１０は凝縮端３０２のキャピラリーウィック層３０５に吸収される。さらに液相冷却液１１０は、キャピラリーウィック層３０５の毛細作用によって蒸発端３０１のキャピラリーウィック層３０５に輸送される。これにより放熱冷却循環が完成される。   
【００３３】
好ましい実施例では、凝縮室３０４の断面寸法は、蒸発室３０３の断面寸法より大きい。このような構成により、凝縮室３０４と蒸発室３０３との間に圧力差が生成され、気相冷却液１０９の流速が加速され、循環速度と放熱効率を向上させることができる。
【００３４】
本発明は、さらに、平面ベイパーチャンバの製造方法を提供する。具体的には、以下のステップを含む。
【００３５】
ステップＳ１では、プレス成形された二つの無酸素銅板体または無酸素アルミ板体の内側の表面を覆うようにそれぞれ銅粉末またはアルミ粉末が押圧され、あるいは、銅金網またはアルミ金網が押圧される状態で焼成によりキャピラリーウィック層３０５が形成される。具体的には、二つの板体とも無酸素銅板体であり、あるいは、二つの板体とも無酸素アルミ板体である。
【００３６】
ステップＳ２では、二つの板体は、特定雰囲気の環境において、加圧溶接または金属半田溶接される。二つの板体の間には互いに連通する凝縮室３０４と蒸発室３０３とが形成され、且つ板体に真空吸引孔１３を設ける。具体的には、二つの板体が溶接されて中空のハウジングが形成され、中空のハウジング内に互いに連通する凝縮室３０４と蒸発室３０３が形成される。
【００３７】
好ましい実施例では、ステップＳ２において、真空吸引孔１３を凝縮室３０４と連通させるように、凝縮室３０４のハウジングの端部に設ける。蒸発室３０３は長方形であり、凝縮室３０４は直角台形である。真空吸引孔１３は、凝縮室３０４の斜辺の外面に位置する。
【００３８】
別の好ましい実施例では、ステップＳ２において、真空吸引孔１３を蒸発室３０３と連通させるように、蒸発室３０３のハウジングの端部に設ける。蒸発室３０３は長方形であり、凝縮室３０４は直角台形である。真空吸引孔１３は、蒸発室３０３の長手方向の自由端に位置する
【００３９】
ステップＳ３では、特定雰囲気の環境において、真空吸引孔１３に銅管またはアルミ管が挿入され、溶接して還元脱酸素されることにより、排気注液口が形成される。   
【００４０】
ステップＳ４では、排気注液口から凝縮室３０４と蒸発室３０３へ冷却液が注入され、真空引きが行われた後、押し潰され、カシメられて、溶接シールされることで、平面ベイパーチャンバ１が得られる。具体的には、真空に吸引した後、排気注液口を押し潰してカシメる。
【００４１】
ステップＳ１において、キャピラリーウィック層３０５の焼成プロセスでは、銅粉末と銅金網を用いる場合は、焼成温度は８００℃〜１０５０℃、焼成時間は１ｈ〜６ｈである。銅粉末又はアルミ粉末は、直径が１０μｍ〜１０００μｍであり、被覆厚みが０．１ｍｍ〜１００ｍｍである。
【００４２】
ステップＳ１において、キャピラリーウィック層３０５の焼成プロセスでは、銅金網とアルミ金網を用いる場合は、焼成温度は４００℃〜５５０℃であり、焼成時間は１ｈ〜６ｈである。
【００４３】
好ましい実施例では、平面ベイパーチャンバ１の製造方法における特定雰囲気は、窒素ガス雰囲気であり、窒素ガス雰囲気のプロセスにおいて、窒素ガスの温度が１０５０°から８０°まで徐々に下げられ、時間は５分〜３０分である。   
【００４４】
本発明の実施例では、図５から図１８に示すように、ＬＥＤ光源１０１、電球金属カバー２、放熱ユニットおよび平面ベイパーチャンバ１を含む車両ヘッドライトが提供される。
【００４５】
ＬＥＤ光源１０１は、蒸発室３０３の外面に貼設される。ＬＥＤ光源１０１が生じた熱は、平面ベイパーチャンバ１の蒸発室３０３内に伝導される。電球金属カバー２は、ＬＥＤ光源１０１および平面ベイパーチャンバ１の外側に外嵌される。放熱ユニットは、電球金属カバー２と接続され、凝縮室３０４の冷却を行う。図５および図６に示した車両ヘッドライトが図１に示した平面ベイパーチャンバを用い、図７に示した車両ヘッドライトは、図３に示した平面ベイパーチャンバ１を用い、図８〜図１８に示した車両ヘッドライトは、何れも図３又は図４に示した平面ベイパーチャンバ１の何れかを用いることができる。
【００４６】
好ましい実施例では、図５および図６に示すように、電球金属カバー２の外部には、石英ガラス防護管１０３およびキャップ１０４が外嵌され、一層の保護作用が果たされる。具体的には、電球金属カバー２が石英ガラス防護管１０３の管内に位置される。電球金属カバー２は、二つの対称形のハウジングから構成される。
【００４７】
この車両ヘッドライトは、相変化放熱、金属放熱フィン熱伝導放熱、空冷放熱、および放射放熱という四種の放熱技術手段を集合して、ＬＥＤ光源１０１が生じた熱を高効率に直ちに発散して、ＬＥＤ光源１０１が適宜の作動温度に保持される。
【００４８】
実施例により提供される車両ヘッドライトは、真空吸引孔１３が凝縮室３０４のハウジングの端部に設置されることにより、平面ベイパーチャンバ１の長さを非常に短縮することができ、平面ベイパーチャンバ１が利用する空間を少なくし、ＬＥＤ光源１０１の発光合焦効果を好ましくし、製品の発光性能を向上して、製品の使用安定性を保証する。また、分電盤４が設置されることで、ＬＥＤ光源１０１と放熱ユニットとの電圧および電流が更に安定し、放熱ユニットの放熱機能を確保して、ＬＥＤ光源１０１の発光安定性が更に向上する。
【００４９】
また、「Ｔ」型の平面構成の平面ベイパーチャンバ１は、冷却液の流路が更に短く、循環速度が更に速く、蒸発室３０３と凝縮室３０４の面積が更に大きく、ＬＥＤ光源１０１およびその他の放熱ユニットとの取付が更に容易で、且つ吸熱放熱効果が更によく、構成が更に安定し、防振効果がよくなる。
【００５０】
好ましい実施例では、図８に示すように、車両ヘッドライトは、更に分電盤４を含む。分電盤４は、ＬＥＤ光源１０１と放熱ユニットを電気的に接続し、分電盤４が車両電源と接続され、車両電源によって分電盤４に給電される。
【００５１】
好ましい実施例では、図６に示すように、ＬＥＤ光源１０１は、蒸発室３０３の上下の二つの表面に貼設され、且つ、ＬＥＤ光源１０１と蒸発室３０３の厚みの合計が３ｍｍを超えない。ＬＥＤ光源１０１は、蒸発室３０３の外面に貼設される。この実施例では、平面ベイパーチャンバ１を非常に薄くにすることができ、各種車両ヘッドライトアセンブリーの各タイプの自由曲面のＸ軸、Ｙ軸、Ｚ軸の精確な合焦を満たすことができ、既存のハロゲンランプ又はＨＩＤランプに代えて、良好な光形を提供する。
【００５２】
好ましい実施例では、図５および図６に示すように、放熱ユニットは、ベースハウジング３１、ファン３２、およびフィン付き放熱器１０２を含む。ベースハウジング３１は、ファン３２およびフィン付き放熱器１０２を包み、且つベースハウジング３１には電気コネクタが設けられる。フィン付き放熱器１０２の方向は、具体的には、平面ベイパーチャンバ１の軸線方向と同じにして、ファン３２からの風を通しやすくしている。 フィン付き放熱器１０２の先端は凝縮室３０４の外面に貼設され、平面ベイパーチャンバ１の凝縮室３０４を冷却する。ファン３２はフィン付き放熱器１０２および凝縮端３０２の後端に設けられ、フィン付き放熱器１０２に風を供給して、フィン付き放熱器１０２の冷却を加速する。ファン３２は、ねじでベースハウジング３１内に固定され、且つベースハウジング３１はフィン付き放熱器１０２を完全に包み、且つねじで固定される。ベースハウジング３１は、フィン付き放熱器１０２を外嵌できるように一端が開放され、他端には風を取り込むようにファン３２の寸法とマッチングする円孔が設置される。ベースハウジング３１の開放された一端は、電球金属カバー２側であり、円孔が開設される他端は、電球金属カバー２の反対側である。
【００５３】
好ましい実施例では、図８〜図１８に示すように、放熱ユニットは、ベースハウジング３１、ファン３２とフィン付き放熱器１０２を含む。ベースハウジング３１の一端は、電球金属カバー２と接続され、他端には気体入口が設けられ、且つベースハウジング３１の側壁面には気体出口３１１が設置される。ベースハウジング３１は、ファン３２およびフィン付き放熱器１０２を包む。ベースハウジング３１には電気コネクタが設けられる。このように、ベースハウジング３１の一端に気体出口３１１を設置することで、電球金属カバー２が風量に影響を与えず、風量を効果的に向上し、製品の放熱効果を増加することになる。具体的には、フィン付き放熱器１０２の先端は凝縮室３０４の外面に貼設され、平面ベイパーチャンバ１の凝縮室３０４を冷却する。ファン３２はフィン付き放熱器１０２の後端に設けられ、気体入口に位置され、フィン付き放熱器１０２に対する冷却を加速することが実現される。気体出口３１１には気体ガイドが設置される。
【００５４】
平面ベイパーチャンバ１、ＬＥＤ光源１０１、電球金属カバー２、フィン付き放熱器１０２の間は、いずれも鉛フリーの錫銀銅ペーストにより高温溶接で接続される。フィン付放熱１０２は方形構成とし、複数の水平フィンが等間隔に配列されている。   
【００５５】
好ましい実施例では、図８〜図１８に示すように、電球金属カバー２に係止溝２２、差込口２１及又は係止板２３が設けられ、係止溝２２、差込口２１及又は係止板２３が各種の車両ライトのアセンブリーハウジングと接続する。この実施例では、電球金属カバー２は、必要に応じて、各種の外形と接続構成を用いて、各種の車両のライトアセンブリーハウジングと整合可能である。これにより、既存のハロゲンランプ又はＨＩＤランプは、直接的に取替えられることができ、既存のライトアセンブリーハウジングを交換する必要がなく、合焦が精確で、取付しやすく、同時にコストが低下される。
【００５６】
この実施例において、平面ベイパーチャンバ１の蒸発室３０３において、キャピラリーウィック層３０５を用いて複数の通路を分けることができ、気相冷却液１０９を各通路に流れて、流速を増加する。同時に、平面ベイパーチャンバ１の蒸発端３０１両側の相変化効率が不均衡している時に、通路を構成するキャピラリーウィック層３０５により調節の作用を果たせる。
【００５７】
以上の通り、本実施例の車両ヘッドライトは、相変化放熱、金属放熱フィン熱伝導放熱、空冷放熱および放射放熱という四種の放熱技術手段を集合して、放熱効率が高く、放熱効果がよい。ライトの全体は、１００℃の環境で作動されて、ライトの温度が、環境温度との差が１０℃以内で、ダイオードＰＮ接合温度より低い。全体構成は、防振効果がよく、構成が牢固で、合焦が精確で、完璧に既存のハロゲンランプ又はキセノンランプを取替えできて、各種の車両に適用することができる。
【００５８】
以上の各実施例の説明は、本発明の技術方案を説明するだけに用いられ、本発明を限定するものではない。前記の各実施例を参照して本発明を詳細に説明したが、当業者にとって、前記各実施例に記載の技術方案に対して改正することができ、又はその一部或いは全部の技術特徴を均等に取替えることができる。これらの改正又は取替えは、相応する技術方案の実質を本発明の各実施例の技術方案の範囲から離脱させない。
【００５９】
また、当業者は、ここに記載された一部の実施例が、他の特徴ではなく、他の実施例に含まれたある特徴を含んでいるが、異なる実施例の特徴の組合せが、依然に本発明の範囲に属することを理解すべきである。例えば、以下の請求の範囲において、保護しようと求める実施例のいずれかは、いずれかの組合せ方式によって用いられることができる。
【符号の説明】
【００６０】
１  平面ベイパーチャンバ
２  電球金属カバー
４  分電盤
１３  真空吸引孔
２１  差込口
２２  係止溝
２３  係止板
３１  ベースハウジング
３２  ファン
３１１  気体出口
１０１  ＬＥＤ光源
１０２  フィン付き放熱器
１０３  石英ガラス防護管
１０４  キャップ
１０９  気相冷却液
１１０  液相冷却液
３０１  蒸発端
３０２  凝縮端
３０３  蒸発室
３０４  凝縮室
３０５  キャピラリーウィック層
【図１】
0006407404.tif 000002
【図２】
0006407404.tif 000003
【図３】
0006407404.tif 000004
【図４】
0006407404.tif 000005
【図５】
0006407404.tif 000006
【図６】
0006407404.tif 000007
【図７】
0006407404.tif 000008
【図８】
0006407404.tif 000009
【図９】
0006407404.tif 000010
【図１０】
0006407404.tif 000011
【図１１】
0006407404.tif 000012
【図１２】
0006407404.tif 000013
【図１３】
0006407404.tif 000014
【図１４】
0006407404.tif 000015
【図１５】
0006407404.tif 000016
【図１６】
0006407404.tif 000017
【図１７】
0006407404.tif 000018
【図１８】
0006407404.tif 000019